(57)【要約】【課題】マンションなどの集合住宅のベランダに低い状態で設置されている物干し竿であっても、チュニックなど丈の長い服の裾がベランダ床面に着かないようにすることができるハンガーを提供する。【解決手段】ハンガー１００は、フック１０と、右アーム部２１と左アーム部２２とアーム中央部２３を有するハンガー本体２０を有している。ハンガー１００は、右アーム先端２１ａと、左アーム先端２２ａが、釣部竿当接部分１０ｃよりも、上方になるように形成されている。このようにハンガー１００は、右アーム先端２１ａと左アーム先端２２ａが、釣部竿当接部分１０ｃよりも、上方になるように形成されていることで、低く設置されている物干し竿にハンガー１００を掛け、チュニックなどの衣類を乾かす場合において、衣類の裾が、例えば、ベランダ床面に着くことのないようにすることができる。【選択図】図１
0003217242.tif 000002
【実用新案登録請求の範囲】
【請求項１】
釣部と軸部を有するフックと、右アーム部と左アーム部とアーム中央部を有するハンガー本体と、を有し、前記軸部と前記アーム中央部が一体的になるように形成されているハンガーであって、
前記右アーム部の先端である右アーム先端と、前記左アーム部の先端である左アーム先端は、竿と当接する前記釣部の部分である釣部竿当接部分よりも、上方になるように形成されており、
前記釣部竿当接部分から前記右アーム先端までと、前記釣部竿当接部分から前記左アーム先端までとは、予め定められた間隔であることを特徴とするハンガー。
【請求項２】
前記釣部竿当接部分から前記右アーム先端までと、前記釣部竿当接部分から前記左アーム先端までとの前記予め定められた間隔は、４０ｍｍであり、プラスマイナス１０ｍｍの許容範囲を有しており、
前記釣部竿当接部分から前記釣部の下端である釣部下端部分までの間隔は、４０ｍｍであり、プラスマイナス１０ｍｍの許容範囲を有していることを特徴とする請求項１に記載のハンガー。
【請求項３】
回転支持部を有し、
前記軸部は、前記回転支持部に、回転自在になるように嵌め込まれており、
前記中央部は、前記回転支持部に、回転自在になるように嵌め込まれており、
前記ハンガー本体は、前記右アーム部と一体的に形成された右アーム補助部と、前記左アーム部と一体的に形成された左アーム補助部と、を有し
前記右アーム部には、右アーム凹部が設けられ、前記左アーム部には、左アーム凹部が設けられていることを特徴とする請求項１または請求項２に記載のハンガー。
【考案の詳細な説明】
【技術分野】
【０００１】
本考案は、ハンガーに関する。
【背景技術】
【０００２】
ハンガーは、衣料などをつり下げる用途に使用される日用品であり、本体としてアームを有しており、その中心部にフックが設けられたものである。ハンガーは日常生活で頻繁に用いられており固定式、折りたたみ式などが普及している。また、衣料品の架け外しを容易にすることができ携帯にも便利なハンガーが開示されている。
【先行技術文献】
【特許文献】
【０００３】
【特許文献１】特開２００２−５１８９９号公報
【考案の概要】
【考案が解決しようとする課題】
【０００４】
上記のハンガーは、物干し竿にハンガーのフックを掛けて吊るし、洗濯した衣類を乾かすためにも用いられている。また、マンションなどの集合住宅のベランダに設置されている物干し竿は、洗濯物によりマンションの外観が損なわれるのを防ぐため、また風で洗濯物が飛ばされ階下に落下するのを防ぐための理由で通常の高さよりも低く設置されているのが現状である。このように物干し竿が、通常の高さより低く設置されていることにより、チュニックなど丈の長い服をハンガーに掛けて物干し竿に吊るすと裾がベランダ床面に着いてしまうという問題があった。
【０００５】
本考案は、こうした点に鑑みてなされたものであり、マンションなどの集合住宅のベランダに低い状態で設置されている物干し竿であっても、チュニックなど丈の長い服の裾がベランダ床面に着かないようにすることができるハンガーを提供するものである。
【課題を解決するための手段】
【０００６】
上記課題を解決するために、本考案に係るハンガーは、釣部と軸部を有するフックと、右アーム部と左アーム部とアーム中央部を有するハンガー本体と、を有し、前記軸部と前記アーム中央部が一体的になるように形成されているハンガーであって、前記右アーム部の先端である右アーム先端と、前記左アーム部の先端である左アーム先端は、竿と当接する前記釣部の部分である釣部竿当接部分よりも、上方になるように形成されており、前記釣部竿当接部分から前記右アーム先端までと、前記釣部竿当接部分から前記左アーム先端までとは、予め定められた間隔であることを特徴とする。
【０００７】
本考案に係るハンガーの態様について、前記釣部竿当接部分から前記右アーム先端までと、前記釣部竿当接部分から前記左アーム先端までとの前記予め定められた間隔は、４０ｍｍであり、プラスマイナス１０ｍｍの許容範囲を有しており、前記釣部竿当接部分から前記釣部の下端である釣部下端部分までの間隔は、４０ｍｍであり、プラスマイナス１０ｍｍの許容範囲を有していることが好ましい。
【０００８】
本考案に係るハンガーの態様について、回転支持部を有し、前記軸部は、前記回転支持部に、回転自在になるように嵌め込まれており、前記中央部は、前記回転支持部に、回転自在になるように嵌め込まれており、前記ハンガー本体は、前記右アーム部と一体的に形成された右アーム補助部と、前記左アーム部と一体的に形成された左アーム補助部と、を有し、前記右アーム部には、右アーム凹部が設けられ、前記左アーム部には、左アーム凹部が設けられていることが好ましい。
【考案の効果】
【０００９】
本考案によれば、マンションなどの集合住宅のベランダに低い状態で設置されている物干し竿であっても、チュニックなど丈の長い服の裾がベランダ床面に着かないようにすることができるハンガーを提供することができる。
【図面の簡単な説明】
【００１０】
【図１】実施形態のハンガーの一例を示す模式図である。
【図２】実施形態のハンガーの使用状態を示す参考図である。
【図３】実施形態のハンガーの一例を示す参考図である。
【考案を実施するための形態】
【００１１】
以下、本考案のハンガーの実施形態を、図１から図３を用いて説明する。図１は、本考案の実施形態であるハンガー１００を示す模式図であり、図２（ａ）は、実施形態のハンガー１００を用いてマンションなどの低い物干し竿にハンガー１００を用いてチュニックを乾かしている参考図であり、図２（ｂ）は、一般的なハンガーを用いてマンションなどの低い物干し竿にハンガー１００を用いてチュニックを乾かしている参考図である。また、図３は、実施形態の具体的な一例を示す参考図である。
【００１２】
実施形態のハンガー１００は、釣部１０ａと軸部１０ｂを有するフック１０と、右アーム部２１と左アーム部２２とアーム中央部２３を有するハンガー本体２０を有しており、軸部１０ｂとアーム中央部２３は、一体的になるように形成されている。
【００１３】
上記のとおりハンガー１００は、フック１０とハンガー本体２０を構成としているが、後述するように、ハンガー１００は、回転支持部３０を有している。この回転支持部３０は、本考案において必須の構成ではなく、適宜必要に応じて設ければよいものである。
【００１４】
本考案の特徴として、右アーム部２１の先端である右アーム先端２１ａと、左アーム部２２の先端である左アーム先端２２ａは、釣部１０ａにおてて竿が当接する部分である釣部竿当接部分１０ｃよりも、上方になるように形成されている。
【００１５】
このようにハンガー１００は、右アーム先端２１ａと左アーム先端２２ａが、釣部竿当接部分１０ｃよりも、上方になるように形成されていることで、低く設置されている物干し竿にハンガー１００を掛け、衣類を乾かす場合において、衣類の裾が、例えばベランダ床面に着くことのないようにすることができるという顕著な効果を有している。特に、チュニックにおいては、通常のハンガーを用いた場合、ベランダ床面に着いてしまうという問題があるが、このハンガー１００を用いることで、このような問題を解決することができる。
【００１６】
釣部竿当接部分１０ｃから右アーム先端２１ａまでと、釣部竿当接部分１０ｃから左アーム先端２２ａまでは、予め定められた間隔Ｋ１であることが望ましく、例えば、釣部竿当接部分１０ｃから右アーム先端２１ａまでと、釣部竿当接部分１０ｃから左アーム先端２２ａまでの上記の予め定められた間隔Ｋ１は、４０ｍｍであり、許容範囲はプラスマイナス１０ｍｍであることが望ましい。しかし、これに限定されず適宜最適な間隔Ｋ１にしてもよく、例えば、釣部竿当接部分１０ｃと右アーム先端２１ａと左アーム先端２２ａが、同じ高さになるように設計してもよい。また、釣部竿当接部分１０ｃから釣部１０ａの下端の表面である釣部下端部分１０ｄまでの間隔Ｋ２は、例えば、４０ｍｍであり、プラスマイナス１０ｍｍの許容範囲であることが望ましいが、これも一例であり限定されるものではない。
【００１７】
上記のとおり、実施形態のハンガー１００は回転支持部３０を有する構成であってもよい。回転支持部３０を有することで、軸部１０ｂは、回転支持部３０に、回転自在になるように嵌め込まれており、また、アーム中央部２３は、回転支持部３０に、回転自在になるように嵌め込まれている。
【００１８】
また、ハンガー本体２０は、右アーム部２１と一体的に形成された右アーム補助部２１ｃと、左アーム部２２と一体的に形成された左アーム補助部２２ｃを設けてもよい。さらに、右アーム部２１には、右アーム凹部２１ｂが設けられ、また左アーム部２２には、左アーム凹部２２ｂが設けられていてもよい。
【００１９】
右アーム補助部２１ｃと左アーム補助部２２ｃを設けることにより、ハンガー本体２０を水平状態にすることができ、例えば衣類の肩回りに空間ができるようにすることができる。また、右アーム凹部２１ｂと左アーム凹部２２ｂを設けることにより、ハンガー１００に衣類の肩紐などを掛けることできる。
【００２０】
上記のとおりハンガー１００は、近年において、マンションなどの集合住宅のベランダに設置されている物干し竿が外観などの理由により低く設置されることが多く、上記のとおりチュニックなど丈の長い服は裾がベランダ床面に着いてしまうという問題があり、本考案のハンガー１００は、左右のアームを上方に伸ばすことで、竿に対する衣類の位置を一般的なハンガーより相対的に高くすることができ、上記の問題を解決する優れたものである。
【００２１】
以上、本考案の有する特徴及び優れた点を上記実施形態に記載したが、本考案は、本願の実用新案登録請求の範囲で使用されている言葉を広く一般的な意味に拡張して実施することができる。
【００２２】
また、本考案のハンガーは、大きさや形状、素材の種類、厚さ、重さなどについては多様な実施形態が可能であり、それらについて本実施形態と異なる形態による実施は、本考案の技術的範囲に含まれる。
【符号の説明】
【００２３】
１００    ハンガー
１０      フック
１０ａ    釣部
１０ｂ    軸部
１０ｃ    釣部竿当接部分
１０ｄ    釣部下端部分
２０      ハンガー本体
２１      右アーム部
２１ａ    右アーム先端
２１ｂ    右アーム凹部
２２ｃ    右アーム補助部
２２      左アーム部
２２ａ    左アーム先端
２２ｂ    左アーム凹部
２２ｃ    左アーム補助部
２３      アーム中央部
３０      回転支持部
１１０    竿
Ｋ１      釣部竿当接部分から右アーム先端までの上方の間隔及び釣部竿当接部分から左アーム先端までの上方の間隔
Ｋ２      釣部竿当接部分から釣部下端部分まで間隔
【図１】
0003217242.tif 000003
【図２】
0003217242.tif 000004
【図３】
0003217242.tif 000005